(57)【要約】      （修正有）【課題】水路と共に犬走り部を構成する概略Ｕ型のコンクリートブロックの提供。【解決手段】水路を構成する概略Ｕ型のコンクリートブロックにおいて、両側版２，２の上端にはほぼ水平な上面を形成した犬走り部３，３を外方向へ延ばしたもので、別途成型した犬走りブロックを側版上端に取付ける場合もある。【選択図】図１
2011132683.tif 000002
【特許請求の範囲】
【請求項１】
水路を構成する概略Ｕ型のコンクリートブロックにおいて、両側版の上端にはほぼ水平な上面を形成した犬走り部を外方向へ延ばしたことを特徴とする水路用コンクリートブロック。
【請求項２】
上記犬走り部を側版と一体化して成型した請求項１記載の水路用コンクリートブロック。
【請求項３】
別途成型した犬走りブロックを側版先端に取付けて犬走り部を構成し、犬走りブロック内に埋着した鉄筋の縦片下端部を下方へ延ばし、基部下側に形成した切欠き部に側版上端部を係合すると共に下方へ延びた上記縦片下端部を側版上端から下方へ延ばして形成した穴に嵌入して取付けた請求項１記載の水路用コンクリートブロック。
【請求項４】
別途成型した犬走りブロックを側版先端に取付けて犬走り部を構成し、犬走りブロックの基部側には上下方向に延びる穴を貫通して設け、又、基部下側に形成した切欠き部に側版上端部を係合すると共に上記穴にボルトを挿通して側版上端部に埋着したナットに螺合して取付けた請求項１記載の水路用コンクリートブロック。
【請求項５】
上記犬走り部を側版上端と連結するように現場打ちにて成型した請求項１記載の水路用コンクリートブロック。
【請求項６】
犬走り部の上面は先端側を僅かに高くなるように傾斜した請求項１、請求項２、請求項３、請求項４、又は請求項５記載の水路用コンクリートブロック。
【請求項７】
上記犬走り部の先端面を畦道から水路側に設けた法面に対して垂直に成るように傾斜した請求項１、請求項２、請求項３、請求項４、請求項５、又は請求項６記載の水路用コンクリートブロック。
【発明の詳細な説明】
【技術分野】
【０００１】
本発明は特に農業用の水路を構成するコンクリートブロックに関するものである。
【背景技術】
【０００２】
近年、大きな河川は別として、細い（狭い）水路であればＵ型のコンクリートブロックを設置して構成される場合が殆どである。コンクリートを流し込んで基礎を造成し、この基礎の上にＵ型コンクリートブロックを配列するだけで水路を構築することが出来ることから、型枠を作ってコンクリートを打設することで水路を構築する場合に比較して簡単であり、工期も短くなる。
【０００３】
例えば、特開平９−３１９４４号に係る「農業用水路」は、Ｕ型のコンクリートブロックを用いて構築した水路であり、該コンクリートブロック同士のズレやコンクリートの変形に対する追従性の高いジョイント部を有し、漏水が少ない農業業水路を構成している。
すなわち、各ブロック間の隙間にパッキンを水路の内面と面一もしくは内面より落ち込んだ状態に充填して目地を形成し、該目地に沿って、無溶剤ポリウレタン樹脂塗料より成る０．５ｍｍ〜３ｍｍ厚の塗膜帯を、目地の前後に配したブロックの縁部及び目地を覆う幅にてブロックの左上縁から右上縁に亘って一連に設けている。
【０００４】
ところで、図８はＵ型のコンクリートブロックを設置した農業用の水路断面を示す具体例であり、同図の（イ）はＵ型コンクリートブロック、（ロ）は基礎、（ハ）は水田、（ニ）は畦道を示している。ところで、複数のＵ型コンクリートブロック（イ）、（イ）・・・がコンクリート基礎（ロ）の上に配列して水路が構成され、該水路には水田（ハ）から排出される水が流れる。
【０００５】
同図に断面を示すように、畦道（ニ）は水田（ハ）より高い位置に設けられ、上記Ｕ型コンクリートブロック（イ）で構成される水路（ホ）は水田（ハ）より低い位置と成っている。そこで、畦道（ニ）から斜めに傾斜した法面（ト）が形成され、該法面（ト）とＵ型コンクリートブロック（イ）の上端（ヘ）との間には犬走り部（チ）が沿設されている。
【０００６】
該犬走り部（チ）は幅が約３０ｃｍ程度で、畦道（ニ）と同様に人が歩くことが出来るように成っているが、その為にも該犬走り部（チ）はコンクリート面を形成している。例えば、畦道（ニ）から犬走り部（チ）へ降りて法面（ト）に生えた雑草を刈り取る場合に利用することが出来る。しかし、該犬走り部（チ）は
Ｕ型コンクリートブロック（イ）、（イ）・・を設置した後で土を埋め戻して転圧処理される。
【０００７】
又は該犬走り部（チ）は現場打ちされてコンクリート層（リ）で構成されるが、人が歩くことで時と共に沈下してしまう。一方、犬走り部（チ）を現場打ちする為に型枠を作ってコンクリートを流し込む作業は工数がかかり面倒であり、施工コストは必然的に高くなる。
【特許文献１】特開平９−３１９４４号に係る「農業用水路」
【発明の開示】
【発明が解決しようとする課題】
【０００８】
このように、Ｕ型コンクリートブロックで構成される水路と畦道から傾斜する法面との間に形成される犬走り部には上記のごとき問題がある。本発明が解決しようとする課題はこれら問題点であり、現場打ちすることなく法面との間に安定した犬走り部を形成した水路用コンクリートブロックを提供する。
【課題を解決するための手段】
【０００９】
本発明に係る水路用コンクリートブロックは、その形状は底版と両側版を有した概略Ｕ型を成している。そして、側版の上端から外方向へ延びる犬走り部を設けた形態とし、上記犬走り部の上面は人が歩くことが出来るようにほぼ水平としている。該犬走り部の幅寸法は特に限定するものではないが、一般的に３０ｃｍ程度である。
【００１０】
ところで、上記犬走り部はコンクリートブロックの一部として形成されるが、側版と連続した一体構造とする場合、そして、犬走り部を別ブロックとして成形して後で組付けした構造とする場合がある。すなわち、別ブロックとして犬走りブロックを側版上端に組付けする場合には、ネジ止め構造としたり、又は犬走りブロックから外へ鉄筋を延ばし、この鉄筋を側版上端に形成した穴に嵌入して組付けることも可能である。
【００１１】
一方、犬走り部先端面は上面に対して垂直でなく、傾斜面と成っている。すなわち、法面の傾斜に対して垂直面をしている。そこで、法面にコンクリート製の法面ブロック版を配置する場合、該法面ブロック版の下端は先端面に当接して滑り止めとして機能する。
【発明の効果】
【００１２】
本発明に係るコンクリートブロックはＵ型コンクリートブロックの側版上端に外方向へ延びる犬走り部を形成している為に、犬走り部はＵ型コンクリートブロックの側版と連結して安定する。Ｕ型コンクリートブロックとは分離して犬走りブロックを成型し、該犬走りブロックを側版の上端に取付けることが出来、又は該犬走り部を側版上端と連結するように現場打ちして成型することも出来る。
【００１３】
犬走り部をＵ型コンクリートブロックと一体化成型していないことで、基礎の上に該Ｕ型コンクリートブロックを設置した後で、両側版の外側に土を埋め戻し易く、最後に犬走りブロックを側版上端に取付けすることが出来る為に作業性が良くなる。又、犬走り部が一体化していない場合には従来のＵ型コンクリートブロックと同じ形状である為に、外方向への出っ張りがなくて運搬もし易い。
【図面の簡単な説明】
【００１４】
【図１】本発明に係る水路用コンクリートブロック。
【図２】図１のＡ部拡大図で犬走り部の具体例。
【図３】図１のＡ部拡大図で犬走り部の具体例。
【図４】図３に示す犬走り部を構成する犬走りブロック。
【図５】図１のＡ部拡大図で犬走り部の具定例。
【図６】図５に示す犬走り部を構成する犬走りブロック。
【図７】本発明のコンクリートブロックを据付けて構成した水路断面。
【図８】従来のＵ型コンクリートブロックを据付けて構成した水路断面。
【発明を実施するための形態】
【００１５】
図１は本発明に係る水路用コンクリートブロックを示す実施例である。同図の１は底版、２は側版、３は犬走り部を表し、これら各部は一体化して成型されたコンクリートブロックと成っている。このコンクリートブロックも従来同様にコンクリート製の基礎の上に載置して水路が構成され、水田から排出される水は該水路を流れることが出来る。
【００１６】
ところで、従来の水路用コンクリートブロックは前記図８に示しているように側版２，２の上端から外方向へ延びる犬走り部３は有していないが、本発明ではこの犬走り部３をコンクリートブロックの側版上端に設けている点に特徴がある。従って、犬走り部３，３を両側版２，２の上端に設けることで、コンクリートブロックを設置した後で犬走り部を現場打ちする必要はなくなる。しかも、該犬走り部３，３は側版２，２に形成されることで安定し、人が限りなく歩いても沈下することはない。
【００１７】
図２は図１のＡ部拡大図を示している。同図は犬走り部３が側版２と一体化し、コンクリートブロックとして同時成型されている場合である。ここで、犬走り部３の側版側の基部４は厚さを大きくして上面５に人が載った場合の負荷に耐え得るようにしている。そして、上面５はほぼ水平面であるが、先端より側版側を僅かに低く傾斜している。一般にこの傾斜度は５％程度と成っていて、上面に降った雨水、及び法面から流れ落ちる雨水が上面５に溜まることなく水路へ入るようにしている。
【００１８】
そして、犬走り部３の先端面６は上面５に対して垂直ではなく、傾斜している。この先端面６の傾斜角は畦道から水路側へ傾斜する法面に対して垂直を成すように成型されるもので、コンクリートブロックとして前以て定まった傾斜角度ではない。すなわち、水路を構成する法面に合わせて上記先端面６の傾斜角が定められる。
【００１９】
図３は前記図１のＡ部拡大図を示す別の実施例であり、この犬走り部３は側版２とは別に成型されたブロックと成っている。すなわち、別途成型した犬走りブロック７が側版２の上端に取付けられた構造としている。そして、図４はこの犬走りブロック７を単独で示しているが、内部には複数本のＬ形鉄筋９，９・・・を埋設し、そして内側下方（基部側下方）には切欠き部８を形成している。
【００２０】
又、上記鉄筋９，９・・・の縦片１０，１０・・・の下端部は該切欠き部８に突出している。一方、側版２には上端から下方へ延びる穴２１，２１・・・が形成され、この穴２１，２１・・・に鉄筋９，９・・・の縦片１０，１０・・・が嵌入して取付けられる。しかも、切欠き部８に側版２の上端部外側が係合した状態で縦片１０，１０・・・が穴２１，２１・・・に嵌入することで、犬走りブロック７は側版上端に安定して取付けられる。
【００２１】
図５は前記図１のＡ部拡大図を示す更なる別の実施例であり、この犬走り部３も側版２とは別なコンクリート製のブロックから成っている。すなわち、このブロックも別途成型した犬走りブロック１１が側版２の上端にネジ止めにて取付けられている。図６はこの犬走りブロック１１を単独で示しているが、基部側には複数の穴１２，１２・・・が上下方向に貫通して設けられ、上面５には穴１２，１２・・・の上端に座１３，１３・・・が形成されている。
【００２２】
そして、犬走りブロック１１の内側下方（基部側下方）には切欠き部１４を形成している。一方、側版２には上端にナット１５，１５・・・が埋着され、上記穴１２に挿通したボルト１６は該ナット１５のネジ穴に螺合して締付けられ、該犬走りブロック１１が側版２の上端に安定して取付けられる。ここで、ボルト１６の頭は座１３に嵌って上面５から突出しないようにしている。
【００２３】
図７は本発明のコンクリートブロックを据付けて構成した水路断面を示している。同図の１７は水田、１８は畦道、１９は法面を示し、畦道１８からは水路側に傾斜した法面１９が形成され、この法面１９には複数枚の法面ブロック版２０，２０・・・が敷設されている。そして、該法面ブロック版２０，２０・・・の下端は犬走り部３の先端面６に当接して滑り落ちないようにしている。勿論、法面１９に該法面ブロック版２０，２０・・・を敷設しない場合もある。
【符号の説明】
【００２４】
１  底版
２  側版
３  犬走り部
４  基部
５  上面
６  先端面
７  犬走りブロック
８  切欠き部
９  鉄筋
10  縦片
11  犬走りブロック
12  穴
13  座
14  切欠き部
15  ナット
16  ボルト
17  水田
18  畦道
19  法面
20  法面ブロック版
21  穴
【図１】
2011132683.tif 000003
【図２】
2011132683.tif 000004
【図３】
2011132683.tif 000005
【図４】
2011132683.tif 000006
【図５】
2011132683.tif 000007
【図６】
2011132683.tif 000008
【図７】
2011132683.tif 000009
【図８】
2011132683.tif 000010